(57)【要約】【課題】温度上昇を防ぐと共に、塵埃の入り込みを防止することが可能なディスク検査装置を提供すること。【解決手段】光ディスクに対する情報の記録が適切に為されているか否かを検査するためのディスク検査装置１０であり、空気を導入する吸気口３４および空気を外部に排出するための排出口２２を備える本体ケース２０と、吸気口３４またはこの吸気口３４と連通する吸入路３２に設置されると共に、塵埃を除去するための空気清浄手段３０と、本体ケース２０の内部に設置されると共に、空気清浄手段３０を介して吸気口３４から空気を吸引する吸引力を与える吸引手段４０と、吸引手段４０によって吸引された空気により冷却されると共に、光ディスクを再生するためのディスクドライブ５０と、を具備する。【選択図】図１
2007265588.tif 000002
【特許請求の範囲】
【請求項１】
光ディスクに対する情報の記録が適切に為されているか否かを検査するためのディスク検査装置において、
内部を冷却するための空気を導入する吸気口およびこの吸気口から吸気された空気を外部に排出するための排出口を備える本体ケースと、
上記吸気口またはこの吸気口と連通する吸入路に設置されると共に、塵埃を除去するための空気清浄手段と、
上記本体ケースの内部に設置されると共に、上記空気清浄手段を介して上記吸気口から空気を吸引する吸引力を与える吸引手段と、
上記吸引手段によって吸引された空気により冷却されると共に、上記光ディスクを再生するためのディスクドライブと、
を具備することを特徴とするディスク検査装置。
【請求項２】
前記ディスクドライブは、ハウジングを具備し、このハウジングによって該ディスクドライブの全体が覆われると共に、
上記ハウジングには、前記吸引手段によって吸引された空気を流入させるための流入孔、および上記流入孔から流入された空気を流出させるための流出孔を具備することを特徴とする請求項１記載のディスク検査装置。
【請求項３】
前記流入孔は、前記吸引手段の排気口と対向配置されていることを特徴とする請求項２記載のディスク検査装置。
【請求項４】
前記吸気口は、前記本体ケースのうち前記ディスクドライブが具備するトレイを出入させる側である正面側に設けられていると共に、この吸気口は前記空気清浄手段に設けられていて、
前記排出口は、前記本体ケースのうち上記正面側と対向する背面側に設けられていることを特徴とする請求項１から３のいずれか１項に記載のディスク検査装置。
【請求項５】
前記排出口は、複数の孔部から構成されていると共に、これらの孔部は、前記本体ケースの奥側のうち、上方側および側縁側に配列されていて、
上記側縁側に配列されている上記孔部のうち、下端側に位置する上記孔部は、前記本体ケースの下方に対して、スペースを有した状態で位置している、
ことを特徴とする請求項１から４のいずれか１項に記載のディスク検査装置。
【発明の詳細な説明】
【技術分野】
【０００１】
本発明は、光ディスクへの情報の記録を検査するためのディスク検査装置に関する。
【背景技術】
【０００２】
例えばＤＶＤディスク、ブルーレイディスク、ＨＤ−ＤＶＤやＣＤ等の光ディスクの製造ラインにおいては、一般に、ディスク検査装置が用いられている。このディスク検査装置は、光ディスクの反りや偏心を測定したり、光ディスクに記録されている情報を再生しながら、ジッタ、変調率、反射率を測定し、光ディスクに対する情報の記録が、適切に為されているか否かを検査することを可能としている。
【０００３】
このディスク検査装置は、外部の塵埃から内部構成を保護するためのケースを具備すると共に、このケースの内部に、光ピックアップを備えるディスクドライブ、電源ユニット等が設けられている。なお、かかるディスク検査装置に関する先行技術としては、特許文献１に開示されているものがある。
【０００４】
【特許文献１】特開平１１−３１３８０号公報（要約等参照）
【発明の開示】
【発明が解決しようとする課題】
【０００５】
ところで、上述のディスク検査装置においては、特にディスクドライブでの温度上昇が顕著となっている。この中でも、レーザ光を照射する光ピックアップ付近における温度上昇は、一層顕著となっている。このような温度上昇が生じると、レーザを出射するレーザダイオード等に温度変化が生じ、振幅等が変動してしまう。その場合、光ディスクの検査が正確に為されない、という問題がある。
【０００６】
また、ディスク検査装置においては、ケースの内部に塵埃が入り込むと、光ディスクの検査の支障となる。そのため、ディスク検査装置では、塵埃の入り込みを防止する必要がある。しかしながら、現状のディスク検査装置では、回転式のファンを備えるのみであり、塵埃の入り込みを防ぐことは困難である。
【０００７】
本発明は上記の事情にもとづきなされたもので、その目的とするところは、温度上昇を防ぐと共に、塵埃の入り込みを防止することが可能なディスク検査装置を提供しよう、とするものである。
【課題を解決するための手段】
【０００８】
上記課題を解決するために、本発明は、光ディスクに対する情報の記録が適切に為されているか否かを検査するためのディスク検査装置において、内部を冷却するための空気を導入する吸気口およびこの吸気口から吸気された空気を外部に排出するための排出口を備える本体ケースと、吸気口またはこの吸気口と連通する吸入路に設置されると共に、塵埃を除去するための空気清浄手段と、本体ケースの内部に設置されると共に、空気清浄手段を介して吸気口から空気を吸引する吸引力を与える吸引手段と、吸引手段によって吸引された空気により冷却されると共に、光ディスクを再生するためのディスクドライブと、を具備するものである。
【０００９】
このように構成した場合には、ディスク検査装置が作動すると、吸引手段が作動し、この吸引手段の作動によって、吸気口から空気が吸引される。ここで、吸気口から吸引される空気は、空気清浄手段を通過した後に、本体ケースの内部に導かれる。このように、空気が空気清浄手段を通過すると、当該空気に含まれている塵埃が除去される。それにより、本体ケースの内部に塵埃が入り込むのを防止することが可能となり、光ディスクの検査に支障が生じるのを防止することが可能となる。
【００１０】
また、ディスクドライブは、吸引手段によって本体ケースの内部に吸引された空気によって冷却される。かかる空気による冷却により、ディスクドライブに温度上昇が生じるのを防止することが可能となり、光ディスクの検査精度が悪化するのを防止することが可能となる。
【００１１】
また、他の発明は、上述の発明に加えて更に、ディスクドライブは、ハウジングを具備し、このハウジングによって該ディスクドライブの全体が覆われると共に、ハウジングには、吸引手段によって吸引された空気を流入させるための流入孔、および流入孔から流入された空気を流出させるための流出孔を具備するものである。
【００１２】
このように構成した場合には、ディスクドライブのハウジングには、流入孔および流出孔が形成されているため、ハウジングの内部に空気を流入させると共に、当該空気を流出させることが可能である。それにより、ディスクドライブが具備する光ピックアップ、ターンテーブル用のモータ、トラッキング機構、受光素子等の発熱源で生じる熱は、ハウジングの内部に流入する空気によって奪われて、当該ハウジングの外部に排出される。また、ハウジングの外面に空気を衝突させて、ディスクドライブの冷却を行う場合と比較すると、ハウジングの内部の発熱源を直接的に冷却することが可能となり、冷却効率を良好にすることが可能となる。
【００１３】
さらに、他の発明は、上述の発明に加えて更に、流入孔は、吸引手段の排気口と対向配置されているものである。このように構成した場合には、吸引手段が作動すると、当該吸引手段から排気される空気の多くを、流入孔から流入させることが可能となる。それにより、ディスクドライブの冷却効率を一層良好にすることが可能となり、ディスクドライブにおける光ディスクの検出精度を、一層良好に維持することが可能となっている。
【００１４】
また、吸引手段の排気口が、流入孔と対向する配置となるため、吸引手段によって本体ケースの外部から吸引される空気は、本体ケースの外部には直接排出されず、本体ケースの内部に排出される状態となる。そのため、本体ケースの内部には、空気が押し込まれる状態となり、本体ケースの内部の圧力を高くすることが可能となる。それにより、本体ケースに存在する僅かな隙間からは、空気が外部に向かって排出される。このため、本体ケースの外部に存在する塵埃や埃等は、本体ケースの内部に入り込み難くなり、本体ケースが清浄な状態を維持することが可能となる。
【００１５】
また、他の発明は、上述の各発明に加えて更に、吸気口は、本体ケースのうちディスクドライブが具備するトレイを出入させる側である正面側に設けられていると共に、この吸気口は空気清浄手段に設けられていて、排出口は、本体ケースのうち正面側と対向する背面側に設けられているものである。
【００１６】
このように構成した場合には、吸気口が本体ケースの正面側に設けられていると共に、排出口が本体ケースの背面側に設けられているため、吸気口から流入する空気は、本体ケースの内部を横断的に流れて、排出口から排出される。それにより、本体ケースの内部で、熱が滞留する部位が生じるのを防ぐことができ、本体ケースの内部の冷却効率を良好にすることが可能となっている。また、吸気口が本体ケースの正面側に設けられており、さらにこの吸引口が空気清浄手段に設けられていることにより、長時間に亘って塵埃の除去を行った後の、空気清浄手段のメンテナンスが容易となる。
【００１７】
さらに、他の発明は、上述の発明に加えて更に、排出口は、複数の孔部から構成されていると共に、これらの孔部は、本体ケースの奥側のうち、上方側および側縁側に配列されていて、側縁側に配列されている孔部のうち、下端側に位置する孔部は、本体ケースの下方に対して、スペースを有した状態で位置しているものである。
【００１８】
このように構成した場合には、排出口は、複数の孔部から構成されるため、個々の孔部の開口面積を小さくすることができ、大きな開口部を有する排出口を設ける場合と比較して、本体ケースの内部に異物や埃等が侵入するのを防ぐことが可能となる。また、複数の孔部は、本体ケースの奥側のうち、上方側に配列されると共に、側縁側にも配列される。ここで、側縁側の孔部の下方には、スペースが存在した状態となっているため、側縁側の孔部は、本体ケースの下方側に対して、所定の距離だけ離間する状態に設けられる。それにより、本体ケースの下方側に孔部が配列される場合と比較して、異物や埃等が、孔部を介して本体ケースの内部に侵入されるのが良好に防止可能となる。また、孔部は、本体ケースの上方寄りの部位に配列されているため、ディスクドライブの発熱源等から熱を奪い、温度上昇が生じている空気を、良好に排気することが可能となる。
【発明の効果】
【００１９】
本発明によると、ディスク検査装置において、温度上昇を良好に防止することが可能となる。また、冷却の際に用いられる空気を介して、本体ケースの内部に塵埃が入り込むのを防止することが可能となる。
【発明を実施するための最良の形態】
【００２０】
以下、本発明の一実施の形態に係るディスク検査装置１０について、図１から図５に基づいて説明する。なお、以下の説明においては、ディスク検査装置１０のうち、天面板２１ｂから見て底面板２１ａが存在する側を下側とすると共に、底面板２１ａから見て天面板２１ｂが存在する側を上側とする。また、正面板２１ｃから見て背面板２１ｄが存在する側を奥側とすると共に、背面板２１ｄから見て正面板２１ｃが存在する側を手前側とする。
【００２１】
図１〜図４等に示すディスク検査装置１０は、本体ケース２０と、フィルタユニット３０と、ファンユニット４０と、ディスクドライブ５０と、電源と、を具備している。このディスク検査装置１０は、単独または複数で、ネットワークを介して不図示のコンピュータに接続されている。
【００２２】
かかるディスク検査装置１０の構成要素のうち、本体ケース２０は、不図示のフレーム体、およびプレート部材２１を備えている。これらのうち、フレーム体は、複数の柱状部材から構成されており、これらの柱状部材が互いにネジ固定または嵌合固定されることにより構成されている。ここで、柱状部材は、例えばアルミニウム等のような金属部材から構成されていて、かかる金属部材に適宜のネジ孔、溝部等を形成することにより、構成されている。
【００２３】
なお、本実施の形態では、柱状部材は、立方体状の本体ケース２０を構成するために、例えば合計１２本設けるようにすることが可能である。しかしながら、柱状部材は、かかる本数には限られず、種々変形可能である。
【００２４】
また、上述のフレーム体には、プレート部材２１が取り付けられる。プレート部材２１には、底面板２１ａ、天面板２１ｂ、正面板２１ｃ、背面板２１ｄおよび側面板２１ｅが存在する。これらのうち、底面板２１ａは、プレート部材２１のうち、底面側（下方側）に取り付けられる部材であり、後述するフィルタユニット３０、ファンユニット４０、電源ユニット６０等を支持するように設けられている。また、天面板２１ｂは、底面板２１ａと対向する上方に設けられている。なお、本実施の形態では、この天面板２１ｂには、放熱フィンが設けられていて、本体ケース２０の内部で生じた熱を外部に良好に逃がすことを可能としている。
【００２５】
また、正面板２１ｃは、本体ケース２０のうち、正面側に位置している。この正面板２１ｃには、複数の開口部が設けられている。これらのうち、上方の開口部には、ディスクドライブ５０の正面側が露出する状態で、取り付けられている。なお、かかる取り付けにより、ディスクドライブ５０の正面側（光ディスクを載置するトレイを出入させる側）に存在する操作ボタン等は、正面板２１ｃから露出する状態となり、ユーザによるボタン操作を可能としている。また、後述する変形例で述べるように、ディスクドライブ５０は、本体ケース２０に複数取り付けられる構成を採用しても良い。その場合、正面板２１ｃは、本体ケース２０の正面側で占める面積が小さくなるケースもあると共に、場合によっては正面板２１ｃが存在しない状態となる構成の採用も可能である。
【００２６】
また、下方の開口部には、フィルタユニット３０の正面パネル３３が取り付けられる。なお、上述の正面板２１ｃと、ディスクドライブ５０の正面部と、正面パネル３３とが取り付けられることにより、ディスク検査装置１０の正面部分は、略面一となるように設けられている。
【００２７】
また、フレーム体の側面部分には、側面板２１ｅが取り付けられる。なお、側面板２１ｅは、１枚のプレート部材２１から構成される構成には限られず、２つのプレート部材２１から構成されていても良い。また、フレーム体の背面部分には、背面板２１ｄが取り付けられる。ここで、図５等に示すように、背面板２１ｄには、排出口２２が設けられている。この排出口２２は、本体ケース２０の内部から、外部に向けて空気（温度上昇が為された後のクリーンエア）を排出する部分である。
【００２８】
なお、本実施の形態では、排出口２２は、複数の通気孔２２ａ（孔部に対応）から構成されている。そして、これら複数の通気孔２２ａが、略コ字形状を為す状態で配置されている。すなわち、背面板２１ｄの上方側においては、通気孔２２ａが幅方向に沿って配置されている。また、背面板２１ｄの幅方向の縁部（側縁部）においては、通気孔２２ａが、幅方向に沿う配置の端部から下方側に向かうように配置されている。しかも、下方側に向かう通気孔２２ａの端部は、背面板２１ｄの上下方向の中途部までとなっている。そのため、下端側の通気孔２２ａと設置面（底面板２１ａが設置される面）との間には、所定のスペースが存在している。
【００２９】
また、図１〜４等に示すように、本体ケース２０のうち、下方側および正面側には、フィルタユニット３０が配置されている。フィルタユニット３０は、空気清浄手段に対応していると共に、例えばヘパフィルタ等のような、空気が通過可能な細かな網目を有するエアフィルタ３１（図４参照）を有している。そして、フィルタユニット３０では、このエアフィルタ３１が、当該フィルタユニット３０に存在する空気の吸入路３２を遮る状態で配置されている。なお、エアフィルタ３１は、１つのみ配置される構成を採用しても良く、２つ以上配置される構成を採用しても良い。また、吸入路３２は、本実施の形態では手前側から奥側に向かうように配置されている。
【００３０】
また、フィルタユニット３０は、図１、図４等に示すような正面パネル３３を有している。この正面パネル３３には、上述のエアフィルタ３１に連通する吸気口３４が設けられている。また、この正面パネル３３のうち、吸気口３４以外の部分は、上述の正面板２１ｃ等と面一となるように設けられている。また、フィルタユニット３０のうち、奥側の部位（吸入路３２の奥側の端部）には、排出孔３５が設けられている。
【００３１】
また、本実施の形態では、フィルタユニット３０の背面側には、ファンユニット４０が設けられている。このファンユニット４０は、吸引手段に対応する。また、ファンユニット４０は、例えば遠心ファン等のように、遠心力を利用して、フィルタユニット３０側から空気を吸引すると共に、当該空気をディスクドライブ５０側（本実施の形態では、上方側）に向けて排出させる構成が採用されている。
【００３２】
なお、このファンユニット４０は、モータ４１と、当該モータ４１の回転軸４１ａに回転自在に取り付けられる羽部材４２と、羽部材４２を覆うブロワ４３と、を有している。これらのうち、ブロワ４３は、その外観が略渦巻き状に設けられている。このブロワ４３には、羽部材４２の回転中心を中心とする中心孔４３ａが設けられている。このため、羽部材４２が回転すると、この中心孔４３ａを介してブロワ４３の内部に空気が吸引される。また、渦巻き状を為すブロワ４３のうち、最も外径側の部分には、排気口４３ｂが設けられている。ここで、本実施の形態では、排気口４３ｂは、上方側に向かって開口している。そのため、排気口４３ｂを介して空気が排出されると、当該空気は、上方側に向かって排気される。
【００３３】
また、ファンユニット４０の上方側には、ディスクドライブ５０が設けられている。ディスクドライブ５０は、ハウジング５１により、内部構成が覆われている。また、このディスクドライブ５０のハウジング５１の内部には、不図示のターンテーブル、光ピックアップ、トラッキング機構および受光素子等が設けられている。
【００３４】
また、図４に示すように、ハウジング５１には、流入孔５２が設けられている。流入孔５２は、本実施の形態では、ハウジング５１の下面に、所定の個数（本実施の形態では、５つ）設けられている。そして、この流入孔５２を介して、ディスクドライブ５０の内部には、空気が導入される。また、ハウジング５１のうち、奥側かつ上面側には、流出孔５３が設けられている。この流出孔５３からは、流入孔５２を介して導入される空気が、ハウジング５１の外部に流出される。なお、流入孔５２および流出孔５３の開口面積は、排気口４３ｂの開口面積よりも小さく設けられている。
【００３５】
ここで、図４に示すように、流入孔５２は、排気口４３ｂから所定の寸法（一例として、本実施の形態では、３ｃｍ）だけ上方に配置されている。それにより、排気口４３ｂから排出されるクリーンエアのうち、流入孔５２を介してハウジング５１の内部に導入されるものの割合を増大させている。しかしながら、流入孔５２は、排気口４３ｂよりも小さな開口面積である等により、所定の割合のクリーンエアのみがハウジング５１の内部に導入されると共に、それ以外のクリーンエアは、ハウジング５１に衝突した後に、主として図４に矢印で示される方向（電源ユニット６０側）に移動する。
【００３６】
また、底面板２１ａのうち、ファンユニット４０よりも後端側には、電源ユニット６０が取り付けられている。電源ユニット６０は、外部から例えば商用の交流電力が供給されると共に、ファンユニット４０やディスクドライブ５０に、所定の電圧変換後の電力を供給するためのものである。なお、この電源ユニット６０は、停電時に対応させて、無停電電源装置（ＵＰＳ）を具備する構成を採用しても良い。
【００３７】
以上のような構成を有するディスク検査装置１０における、放熱の際の作用について、いかに説明する。
【００３８】
ディスク検査装置１０の電源がオンとなり、ディスク検査装置１０の作動が開始されると、ディスクドライブ５０およびファンユニット４０も作動を開始する。ここで、ファンユニット４０が作動を開始する場合、羽部材４２の回転によって、ブロワ４３の内部の空気は、排気口４３ｂから排気される。それにより、ブロワ４３のうち、中心孔４３ａの付近は負圧となる。そのため、中心孔４３ａの付近では、本体ケース２０の外部よりも圧力が低くなるため、フィルタユニット３０を介しての吸気が開始される。
【００３９】
かかる吸気が開始されると、吸気口３４から本体ケース２０の外部に存在する空気が導入される。すると、本体ケース２０の内部のうち、排気口４３ｂからクリーンエアが排出される側では、外部からの空気の導入によって、本体ケース２０の内部よりも圧力が高くなる。それにより、本体ケース２０のつなぎ目等においては、外部に向かってクリーンエアが排出されるものの、外部から本体ケース２０の内部に向かっては、空気が入り込み難い状態となる。
【００４０】
また、吸気口３４から吸引された空気は、吸入路３２の途中にある、エアフィルタ３１へと差し掛かる。ここで、吸引空気がエアフィルタ３１を通過する場合、この吸引空気に含まれている塵埃は、当該エアフィルタ３１を構成する細かな網目を通過することができず、空気のみが網目を通過する。つまり、吸引空気に含まれている塵埃は、このエアフィルタ３１によって補足される。そのため、エアフィルタ３１を通過する空気は、塵埃が除去された、清浄な状態となる。なお、以下の説明では、塵埃が除去された後の空気を、クリーンエアとする。
【００４１】
エアフィルタ３１を通過後のクリーンエアは、排出孔３５およびこの排出孔３５に隣接する中心孔４３ａへと差し掛かり、ブロワ４３の内部へと導入される。すると、ブロワ４３の内部では、羽部材４２が回転しているため、この羽部材４２の回転によって、クリーンエアは、排気口４３ｂへと排気される。
【００４２】
排気口４３ｂからクリーンエアが排気されると、クリーンエアは、続いて、ハウジング５１に差し掛かる。ここで、クリーンエアのうち、所定の割合のものは、上方に位置している流入孔５２へと流入する。また、流入孔５２へ流入しなかったクリーンエアは、主として図４で矢印に示される方向へ導かれる。
【００４３】
クリーンエアが、流入孔５２を介してハウジング５１の内部に流入すると、このクリーンエアは、流入孔５２から流出孔５３へと向かって流れる。ここで、ハウジング５１の内部には、レーザダイオード等のような各種の発熱源が設けられている。そのため、ディスクドライブ５０の作動状態では、ハウジング５１およびこのハウジング５１の内部に存在する空気（クリーンエア）の温度は、発熱源によって上昇させられる。しかしながら、ハウジング５１の内部に、温度上昇前のクリーンエアが流入すると共に、流出孔５３からは、発熱源から熱を奪ったクリーンエアが流出する。
【００４４】
それにより、ハウジング５１の内部に流入しているクリーンエアに温度上昇が生じても、当該クリーンエアは、流出孔５３から順次排気させられる。加えて、ハウジング５１の内部よりも温度の低いクリーンエアが、流入孔５２を介して、順次流入される。このため、ディスクドライブ５０は、クリーンエアによって冷却され、ハウジング５１の内部の温度上昇を、防ぐことが可能となっている。
【００４５】
また、図４に示すように、クリーンエアのうち、ハウジング５１の内部に流入しないものは、ハウジング５１の外面に衝突した後に、主として奥側に向かって進行する。ここで、クリーンエアがハウジング５１の外面に衝突すると、その衝突の際に、ハウジング５１の表面から熱を奪い、ハウジング５１を冷却する。それによっても、ディスクドライブ５０の冷却が為される。また、ハウジング５１への衝突後のクリーンエアは、ハウジング５１の下面を通過しつつ、電源ユニット６０の上面に到達する。
【００４６】
ここで、電源ユニット６０の上面にクリーンエアが到達すると、このクリーンエアによって、電源ユニット６０の上面（表面）の熱は奪われる。すなわち、ディスクドライブ５０と同様に、電源ユニット６０は、クリーンエアによって冷却される。
【００４７】
そして、ディスクドライブ５０および電源ユニット６０を冷却した（ディスクドライブ５０および電源ユニット６０から熱を奪った）クリーンエアは、本体ケース２０の内部を流れる。ここで、ファンユニット４０の作動により、本体ケース２０の内部圧は、中心孔４３ａ等のような空気の流入側を除いては、本体ケース２０の外部の圧力よりも高くなる。かかる圧力差により、本体ケース２０の内部のクリーンエアは、主として、排出口２２から外部へ向かい、徐々に排出されて行く。また、本体ケース２０の内部に存在するクリーンエアの一部は、フレーム体とプレート部材２１等の間に存在するつなぎ目等の僅かな隙間から、外部に向かって流れて行く。
【００４８】
以上のようにして、本体ケース２０の外部に存在する空気が当該本体ケース２０の内部へと送り込まれ、内部の熱を奪った後に、外部へと放出される。
【００４９】
このような構成のディスク検査装置１０によれば、本体ケース２０の内部には、ファンユニット４０が設けられている。そのため、ファンユニット４０が作動する場合、本体ケース２０の内部では、吸入路３２等のような一部以外の部分で、空気が押し込まれる状態となり、本体ケース２０の内部圧力を高くすることが可能となる。それにより、空気（クリーンエア）は、排出口２２およびフレーム体とプレート部材２１等の間に存在する僅かな隙間（つなぎ目）から、本体ケース２０の外部に向かって排出される。このため、本体ケース２０の外部に存在する塵埃や埃等は、本体ケース２０の内部に入り込み難くなり、本体ケース２０の内部は、清浄な状態を維持することが可能となる。
【００５０】
また、本体ケース２０の内部には、フィルタユニット３０を通過した後の、塵埃が除去されたクリーンエアが導入される。すなわち、本体ケース２０の外部の空気に含まれている塵埃は、エアフィルタ３１を通過することにより、除去される。それにより、本体ケース２０の内部に塵埃が入り込むのを防止することが可能となり、光ディスクの検査に際して、支障が生じるのを防止することが可能となる。
【００５１】
また、ディスクドライブ５０は、ファンユニット４０の吸引作動により本体ケース２０の内部に吸引された空気によって冷却される。特に、本実施の形態では、ハウジング５１に、流入孔５２および流出孔５３を設けており、流入孔５２から導入されるクリーンエアによってディスクドライブ５０を冷却している。それにより、ディスクドライブ５０を一層良好に冷却することが可能となっている。
【００５２】
ここで、従来のディスク検査装置では、本体ケースの背面側にファンを設け、そのファンの回転によって冷却を行う構成となっている。しかしながら、本実施の形態のように、ハウジング５１に流入孔５２および流出孔５３を設ける構成では、ハウジング５１の内部をクリーンエアが流通する構成とすることができる。それにより、光ピックアップ、ターンテーブル用のモータ、トラッキング機構および受光素子等の発熱源を有するディスクドライブ５０の内部を、効率的に冷却することが可能となる。すなわち、ハウジング５１の外面に対して、クリーンエアを衝突させるのみで、ディスクドライブ５０の冷却を行う場合と比較すると、上述の発熱源を直接的に冷却することが可能となり、冷却効率を一層良好にすることが可能となっている。
【００５３】
また、上述のように、クリーンエアをディスクドライブ５０に導入し、内部を良好に冷却することにより、当該ディスクドライブ５０の内部に存在する、レーザダイオード等で温度上昇が生じるのを抑えることが可能となる。それにより、レーザダイオードから出射されるレーザ光の振幅等が変動してしまうのを防ぐことが可能となる。そのため、光ディスクの検査精度が良好な状態を、長時間に亘って維持することが可能となる。
【００５４】
さらに、本実施の形態では、流入孔５２は、排気口４３ｂと近接対向する状態で、配置されている。そのため、ファンユニット４０が作動すると、排気口４３ｂから排気されるクリーンエアの多くを、流入孔５２から流入させることが可能となる。それにより、ディスクドライブ５０の冷却効率を一層良好にすることが可能となり、ディスクドライブ５０における光ディスクの検出精度を、一層良好に維持することが可能となる。
【００５５】
また、本実施の形態では、吸気口３４は、正面板２１ｃに設けられている。しかも、吸気口３４は、フィルタユニット３０に設けられている。そのため、長時間に亘って塵埃の除去を行った後の、フィルタユニット３０のメンテナンスが、容易に行える。すなわち、フィルタユニット３０を、本体ケース２０から取り外す等の作業を容易に行うことが可能となり、その取り外し後のエアフィルタ３１の交換等も容易に行うことが可能となる。
【００５６】
また、吸気口３４が正面板２１ｃに設けられていると共に、排出口２２は、背面板２１ｄに設けられている。それにより、吸気口３４から流入する空気は、本体ケース２０の内部を横断的に流れて、排出口２２から排出される。それにより、本体ケース２０の内部で、熱が滞留する部位が生じるのを防ぐことができ、本体ケース２０の内部の冷却効率を良好にすることが可能となる。
【００５７】
さらに、排出口２２は、複数の通気孔２２ａから構成されていて、これらの通気孔２２ａは、本体ケース２０の奥側のうち、上方側および側縁側に配列されている。それにより、排出口２２を構成する通気孔２２ａは、個々の開口面積を小さくすることができる。そのため、排出口２２が、大きな開口面積の開口部から構成されている場合と比較して、本体ケース２０の内部に異物や埃等が侵入するのを防ぐことが可能となる。
【００５８】
また、複数の通気孔２２ａは、本体ケース２０の奥側のうち、上方側に配列されると共に、側縁側にも配列される。ここで、側縁側の通気孔２２ａの下方には、スペースが存在する状態となっているため、通気孔２２ａは、本体ケース２０の下方側に対して、所定の距離だけ離間する状態となっている。それにより、本体ケース２０の下方側に通気孔２２ａが配列される場合と比較して、通気孔２２ａを介して、異物や埃等が本体ケース２０の内部に侵入するのを良好に防止可能となる。また、本体ケース２０の上方寄りの部位に通気孔２２ａが配列されているため、温度上昇が生じて軽くなり、上方側に移動している空気（クリーンエア）を、良好に排気することが可能となる。
【００５９】
以上、本発明の一実施の形態に係るディスク検査装置１０について説明したが、本発明は、これら以外にも、種々変形可能となっている。以下、それについて説明する。
【００６０】
上述の実施の形態においては、本体ケース２０の内部に、クリーンエアをガイドするためのガイド部材を配置するようにしても良い。それにより、例えば排気口４３ｂと流入孔５２とが離間する場合であっても、流入孔５２にクリーンエアを良好に導入することが可能となる。また、ガイド部材を設ける場合、ハウジング５１の内部および電源ユニット６０の表面等に対して、クリーンエアを良好にガイドすることが可能となり、冷却効率を向上させることが可能となる。なお、ガイド部材としては、フィンやダクト等を用いることが可能である。
【００６１】
また、上述の実施の形態では、空気清浄手段としては、フィルタユニット３０を用いる場合について説明している。しかしながら、空気清浄手段としては、フィルタユニット３０以外に、イオナイザ−等を具備する構成を採用しても良い。また、フィルタユニット３０が具備するエアフィルタ３１としては、ヘパフィルタ以外のフィルタを用いるようにしても良い。ヘパフィルタ以外のフィルタとしては、ケミカルフィルタ、ＵＰＬＡ（Ultra Low Penetration Air）フィルタ等が挙げられる。
【００６２】
また、上述の実施の形態において、ファンユニット４０によって冷却される部分を、ディスクドライブ５０および電源ユニット６０以外の部分としても良い。ディスクドライブ５０および電源ユニット６０以外の部分としては、例えば不図示の回路基板等が挙げられる。
【００６３】
さらに、上述の実施の形態では、ディスクドライブ５０が１つのみ設けられる場合について説明している。しかしながら、ディスクドライブ５０は、１つのみ設けられる場合には限られず、２つ以上設けられる構成を採用しても良い。なお、ディスクドライブ５０が２つ以上設けられる場合、全てのディスクドライブ５０にクリーンエアが行き渡るようにするために、クリーンエアをガイドするガイド部材を設けるようにするのが好ましい。
【００６４】
また、上述の実施の形態において、ファンユニット４０の作動をコントロールするための、制御手段を設けるように構成しても良い。この場合、エアフィルタ３１の目詰まり等を起因とする、温度上昇やモータ４１の負荷上昇（電流の増大）を検知するための計測手段を設け、その検知手段での検知の結果に基づいて、モータ４１の作動を制御するように構成しても良い。
【００６５】
また、上述のような検知手段を設ける場合において、検知手段での検知結果が一定のしきい値を超える場合、メンテナンス（エアフィルタ３１の交換等）の時期が到来したとして、外部に報知するようにしても良い。この報知は、例えば正面板２１ｃにＬＥＤ等のランプを設け、このランプの点灯によって行うようにしても良く、このディスク検査装置１０に別途接続されているコンピュータを介して（例えば、ディスプレイ上に警告画面を表示させる等）、行うようにしても良い。
【産業上の利用可能性】
【００６６】
本発明のディスク検査装置は、光ディスクを製造する分野等において利用することができる。
【図面の簡単な説明】
【００６７】
【図１】本発明の一実施の形態に係るディスク検査装置の構成を示す斜視図である。
【図２】図１のディスク検査装置のうち、本体ケースを透視した状態で内部構成を示す斜視図である。
【図３】図１のディスク検査装置のうち、本体ケースを透視した状態で内部構成を示す側面図である。
【図４】図１のディスク検査装置のうち、本体ケースの下方側の内部構成を示す側断面図である。
【図５】図１のディスク検査装置のうち、背面板の構成を示す部分的な斜視図である。
【符号の説明】
【００６８】
１０…ディスク検査装置
２０…本体ケース
２２…排出口
２２ａ…通気孔（孔部に対応）
３０…フィルタユニット（空気清浄手段に対応）
３２…吸入路
３４…吸気口
４０…ファンユニット（吸引手段に対応）
４３…ブロワ
５０…ディスクドライブ
５１…ハウジング
５２…流入孔
５３…流出孔
６０…電源ユニット
【図１】
2007265588.tif 000003
【図２】
2007265588.tif 000004
【図３】
2007265588.tif 000005
【図４】
2007265588.tif 000006
【図５】
2007265588.tif 000007